(57)【要約】【課題】監視者が不審者であるか否かの判断を容易に行える視認性が高い映像を監視者に提供することができるようにする。【解決手段】映像取込部１１により取り込まれた最新の映像と過去の映像を比較して、映像上で相違している不一致領域を検出し、その最新映像の中の不一致領域をマスクする静止／移動分離部１３と、静止／移動分離部１３により不一致領域がマスクされた最新映像と基準映像を比較して、その最新映像の中で基準映像から変化している領域を検出する変化領域検出部１５と、変化領域検出部１５により検出された変化領域の映像と映像取込部１１により取り込まれた最新の映像を合成する映像合成部１６とを設ける。【選択図】図１
2011015326.tif 000002
【特許請求の範囲】
【請求項１】
監視カメラにより撮影された監視対象領域の映像を取り込む映像取込手段と、上記映像取込手段により取り込まれた映像を保存する映像保存手段と、上記映像取込手段により取り込まれた最新の映像と上記映像保存手段により保存されている過去の映像を比較して、映像上で相違している不一致領域を検出し、上記最新映像の中の上記不一致領域をマスクする不一致領域マスク手段と、上記監視対象領域の中に移動体が存在していない状況下で上記監視カメラにより撮影された映像を基準映像として蓄積する基準映像蓄積手段と、上記不一致領域マスク手段により不一致領域がマスクされた最新映像と上記基準映像蓄積手段により蓄積されている基準映像を比較して、上記最新映像の中で上記基準映像から変化している領域を検出する変化領域検出手段と、上記変化領域検出手段により検出された変化領域の映像と上記映像取込手段により取り込まれた最新の映像を合成する映像合成手段と、上記映像合成手段により合成された映像を表示する映像表示手段とを備えた監視支援装置。
【請求項２】
監視カメラにより撮影された監視対象領域の映像を取り込む映像取込手段と、上記映像取込手段により取り込まれた映像を保存する映像保存手段と、上記映像取込手段により取り込まれた最新の映像と上記映像保存手段により保存されている過去の映像を比較して、映像上で相違している不一致領域を検出し、上記最新映像の中の上記不一致領域をマスクする不一致領域マスク手段と、上記監視対象領域の中に移動体が存在していない状況下で上記監視カメラにより撮影された映像を基準映像として蓄積する基準映像蓄積手段と、上記不一致領域マスク手段により不一致領域がマスクされた最新映像と上記基準映像蓄積手段により蓄積されている基準映像を比較して、上記最新映像の中で上記基準映像から変化している領域を検出する変化領域検出手段と、上記変化領域検出手段により検出された変化領域の映像を表示する映像表示手段とを備えた監視支援装置。
【請求項３】
監視カメラにより撮影された監視対象領域の映像を取り込む映像取込手段と、上記映像取込手段により取り込まれた映像を保存する映像保存手段と、上記映像取込手段により取り込まれた最新の映像と上記映像保存手段により保存されている過去の映像を比較して、映像上で相違している不一致領域を検出し、上記最新映像の中の上記不一致領域をマスクする不一致領域マスク手段と、上記監視対象領域の中に移動体が存在していない状況下で上記監視カメラにより撮影された映像を基準映像として蓄積する基準映像蓄積手段と、上記不一致領域マスク手段により不一致領域がマスクされた最新映像と上記基準映像蓄積手段により蓄積されている基準映像を比較して、上記最新映像の中で上記基準映像から変化している領域を検出する変化領域検出手段と、上記変化領域検出手段により検出された変化領域の映像と上記映像取込手段により取り込まれた最新の映像を合成する映像合成手段と、上記変化領域検出手段により検出された変化領域の映像又は上記映像合成手段により合成された映像を選択し、その選択した映像を表示する映像表示手段とを備えた監視支援装置。
【請求項４】
映像表示手段は、映像合成手段により合成された映像を表示する際、変化領域検出手段により検出された変化領域を特定できるように表示することを特徴とする請求項１または請求項３記載の監視支援装置。
【請求項５】
変化領域検出手段により検出された変化領域の映像を蓄積する再生用映像蓄積手段を設け、
映像表示手段は、上記変化領域検出手段により検出された変化領域の映像を表示する際、上記再生用映像蓄積手段により蓄積されている変化領域の映像の中から、所望の映像を検索して表示することを特徴とする請求項２または請求項３記載の監視支援装置。
【請求項６】
映像表示手段は、再生用映像蓄積手段により変化領域の映像の他に、映像取込手段により取り込まれた映像が蓄積されている場合、上記再生用映像蓄積手段により蓄積されている映像の中から、上記変化領域検出手段により検出された変化領域の映像又は上記映像取込手段により取り込まれた映像のいずれかを検索して表示し、あるいは、上記変化領域検出手段により検出された変化領域の映像と上記映像取込手段により取り込まれた映像を検索して、上記変化領域の映像と取り込まれた映像を合成し、合成後の映像を表示することを特徴とする請求項５記載の監視支援装置。
【発明の詳細な説明】
【技術分野】
【０００１】
この発明は、例えば、店舗内で発生する不正行為や不審者の特定を支援する監視支援装置に関するものである。
【背景技術】
【０００２】
従来の監視システムでは、例えば、広角カメラやパン・チルト・ズーム可能なカメラなどを監視対象領域内に複数台設置することにより、監視の死角が最小限になるように工夫がなされている。
個々のカメラにより撮影された映像は、監視者の手元に設置されているモニタに表示され、監視対象領域内に存在している人物が不審者であるか否かの判別は、監視者が行うことを基本としている。
【０００３】
しかしながら、コンビニやスーパー等の店舗内で監視を行う場合、通常、監視者は店員である。
店員は、監視以外の業務を並行して行う必要があるため、モニタを常時注視し続けることができず、監視映像が不正行為の現場を捉えていても、不審者を見逃してしまうケースが発生する。
このため、監視者がモニタを注視し続けなくとも、不正行為の現場を捉えて、対象の人物が不審者であるか否かの判別を容易に行えるような映像の提供が望まれる。
【０００４】
そこで、近年の監視システムの分野では、監視対象領域内の不審者を自動的に推定し、パン・チルト・ズーム可能な監視カメラを用いて、不審者を追跡撮影するような研究開発が盛んに行われている。
例えば、以下の特許文献１には、監視カメラにより撮影された映像に画像処理を施すことで、不審者を判別している監視システムが開示されている。
【０００５】
即ち、以下の特許文献１に開示されている監視システムでは、監視カメラにより撮影された映像を解析することで、監視対象領域内に存在している人物を検出して、その人物の視線方向情報を抽出し、特定方向への総注視時間や特定方向への視線遷移回数などを特徴量として抽出している。
そして、それらの特徴量を所定の特徴量と比較することで、監視対象領域内に存在している人物が不審者であるか否かを判別している。
【０００６】
しかしながら、コンビニやスーパー等の店舗内で監視を行う場合、万引きなどの不正行為を行う不審者を検出することを主な目的とするが、万引きなどの不正行為を行う不審者の行動は、その年齢や性別、経験等によって様々である。
そのため、行動の特徴量を比較して、監視対象領域内に存在している人物が不審者であるか否かを判別する手法では、不審者を確実に特定することは困難である。
よって、監視対象領域内に存在している人物が不審者であるか否かの判別は、監視者自身の判断に委ねて、監視システムとしては、その判断を容易にするための映像情報を監視者に提供できるようにすることが重要となる。
【先行技術文献】
【特許文献】
【０００７】
【特許文献１】特開２００７−６４２７号公報（段落番号［００１４］、図１）
【発明の概要】
【発明が解決しようとする課題】
【０００８】
従来の監視システムは以上のように構成されているので、万引きなどの不正行為を行う不審者の行動が一様であれば、監視対象領域内に存在している人物の特徴量を所定の特徴量と比較することで、その人物が不審者であるか否かの判断を正確に行うことができる。しかし、万引きなどの不正行為を行う不審者の行動は、その年齢や性別、経験等によって様々であるため、単に特徴量を比較する手法では、不審者を確実に特定することが困難である課題があった。
【０００９】
この発明は上記のような課題を解決するためになされたもので、監視者が不審者であるか否かの判断を容易に行える視認性が高い映像を監視者に提供することができる監視支援装置を得ることを目的とする。
【課題を解決するための手段】
【００１０】
この発明に係る監視支援装置は、映像取込手段により取り込まれた最新の映像と映像保存手段により保存されている過去の映像を比較して、映像上で相違している不一致領域を検出し、その最新映像の中の不一致領域をマスクする不一致領域マスク手段と、不一致領域マスク手段により不一致領域がマスクされた最新映像と基準映像蓄積手段により蓄積されている基準映像を比較して、その最新映像の中で基準映像から変化している領域を検出する変化領域検出手段と、変化領域検出手段により検出された変化領域の映像と映像取込手段により取り込まれた最新の映像を合成する映像合成手段とを設け、映像表示手段が映像合成手段により合成された映像を表示するようにしたものである。
【発明の効果】
【００１１】
この発明によれば、映像取込手段により取り込まれた最新の映像と映像保存手段により保存されている過去の映像を比較して、映像上で相違している不一致領域を検出し、その最新映像の中の不一致領域をマスクする不一致領域マスク手段と、不一致領域マスク手段により不一致領域がマスクされた最新映像と基準映像蓄積手段により蓄積されている基準映像を比較して、その最新映像の中で基準映像から変化している領域を検出する変化領域検出手段と、変化領域検出手段により検出された変化領域の映像と映像取込手段により取り込まれた最新の映像を合成する映像合成手段とを設け、映像表示手段が映像合成手段により合成された映像を表示するように構成したので、監視者が不審者であるか否かの判断を容易に行える視認性が高い映像を監視者に提供することができる効果がある。
【図面の簡単な説明】
【００１２】
【図１】この発明の実施の形態１による監視支援装置を示す構成図である。
【図２】この発明の実施の形態１による監視支援装置の処理内容を示すフローチャートである。
【図３】基準映像の一例を示すイメージ図である。
【図４】映像取込部１１により今回取り込まれた最新映像を示すイメージ図である。
【図５】映像取込部１１により１ステップ前に取り込まれた過去映像を示すイメージ図である。
【図６】静止／移動分離部１３により生成された静止部映像を示すイメージ図である。
【図７】変化領域検出部１５により検出された変化領域の映像を示すイメージ図である。
【図８】映像合成部１６により合成された映像を示すイメージ図である。
【図９】この発明の実施の形態２による監視支援装置を示す構成図である。
【図１０】この発明の実施の形態３による監視支援装置を示す構成図である。
【発明を実施するための形態】
【００１３】
実施の形態１．
図１はこの発明の実施の形態１による監視支援装置を示す構成図である。
図１において、監視カメラ１は例えば店舗内の売場などの監視対象領域を撮影し、その監視対象領域の映像を監視支援装置２に出力する。
監視支援装置２は監視カメラ１により撮影された監視対象領域の映像を画像処理することで、監視者が不審者であるか否かの判断を容易に行える視認性が高い映像（監視対象領域内の物品の位置変化や存在有無の変化を捉えている映像）を監視者に提供する装置である。
モニタ３は例えば店舗内の監視室やレジカウンタ内に設置されており、監視支援装置２の映像合成部１６から出力された合成映像を表示するディスプレイである。
【００１４】
映像取込部１１は監視カメラ１により撮影された監視対象領域の映像を取り込み、その映像を映像一時保存部１２、静止／移動分離部１３及び映像合成部１６に出力する処理を実施する。なお、映像取込部１１は映像取込手段を構成している。
映像一時保存部１２は映像取込部１１から出力された映像を一時的に保存するメモリやハードディスクなどの記録媒体である。なお、映像一時保存部１２は映像保存手段を構成している。
【００１５】
静止／移動分離部１３は映像取込部１１から出力された最新映像（映像取込部１１により今回取り込まれた映像）と映像一時保存部１２により保存されている過去の映像（映像取込部１１により１ステップ前に取り込まれた映像）を比較して、映像上で相違している不一致領域を検出し、その最新映像の中の不一致領域をマスクすることで、静止部映像（不一致領域がマスクされている最新映像）を生成する処理を実施する。なお、静止／移動分離部１３は不一致領域マスク手段を構成している。
【００１６】
基準映像蓄積部１４は監視対象領域の中に移動体（例えば、人物）が存在していない状況下で、監視カメラ１により撮影された映像を基準映像として蓄積するメモリやハードディスクなどの記録媒体である。
ただし、基準映像蓄積部１４により蓄積されている基準映像は、一定周期で更新（例えば、数分おきに更新）されるものであり、静止／移動分離部１３により生成された静止部映像が古い基準映像に上書きされる（マスクされている不一致領域が静止部映像に含まれている場合、その不一致領域を除く部分のみが古い基準映像に上書きされる）ことで、基準映像が更新される。
なお、基準映像蓄積部１４は基準映像蓄積手段を構成している。
【００１７】
変化領域検出部１５は静止／移動分離部１３により生成された静止部映像と基準映像蓄積部１４により蓄積されている基準映像を比較して、その静止部映像の中で基準映像から変化している領域を検出し、その変化領域の映像（監視対象領域内の物品の位置変化や存在有無の変化を捉えている映像）を映像合成部１６に出力する処理を実施する。なお、変化領域検出部１５は変化領域検出手段を構成している。
【００１８】
映像合成部１６は変化領域検出部１５により検出された変化領域の映像と映像取込部１１から出力された最新映像を合成し、その合成後の映像をモニタ３に表示する処理を実施する。なお、映像合成部１６は映像合成手段及び映像表示手段を構成している。
図２はこの発明の実施の形態１による監視支援装置の処理内容を示すフローチャートである。
【００１９】
次に動作について説明する。
まず、監視支援装置２が合成映像を生成して、その合成映像をモニタ２に表示する処理を開始するに際して、例えば、店舗内の売場などの監視対象領域の中に、人物などの移動体が存在していない状況下で、監視カメラ１により撮影された映像が基準映像として監視支援装置２の基準映像蓄積部１４に蓄積される。
ここで、図３は基準映像の一例を示すイメージ図である。図３の例では、商品棚に３個のグラスが陳列されている様子を示している。
【００２０】
ただし、監視支援装置２が起動されてから一定時間を経過しても、人物などの移動体が常に監視対象領域の中に存在しており、人物などの移動体を含まない基準映像が得られない場合、移動体が存在している領域をマスクしている映像が基準映像として、基準映像蓄積部１４に蓄積される。
この場合、移動体が存在している領域がマスクされているため、一部領域が欠落している基準映像となり、変化領域の検出可能範囲が制限されることになるが、基準映像は、後述するように、一定周期で更新されるので、その後、人物などの移動体が監視対象領域から居なくなれば、一部領域が欠落していない基準映像が得られる。
【００２１】
監視カメラ１は、監視対象領域を撮影し、その監視対象領域の映像を監視支援装置２に出力する。
監視支援装置２の映像取込部１１は、監視カメラ１により撮影された監視対象領域の映像を取り込み（例えば、数１０ミリ秒〜数１００ミリ秒の周期で、監視対象領域の映像を取り込む）、その映像を静止／移動分離部１３及び映像合成部１６に出力するとともに、その映像を映像一時保存部１２に格納する（ステップＳＴ１）。
ここで、図４は映像取込部１１により今回取り込まれた最新映像を示すイメージ図である。
図４の例では、当初商品棚に陳列されていた３個のグラスのうち、一番左側のグラスが既に無くなっており（図３を参照）、移動体である人物の手が、一番右側のグラスに触れている様子を示している。
【００２２】
静止／移動分離部１３は、映像取込部１１から最新の映像を受けると、映像一時保存部１２により保存されている過去の映像（映像取込部１１により１ステップ前に取り込まれた映像）を取得する（ステップＳＴ２）。
ここで、図５は映像取込部１１により１ステップ前に取り込まれた過去映像を示すイメージ図である。
図５の例では、当初商品棚に陳列されていた３個のグラスのうち、一番左側のグラスが既に無くなっており（図３を参照）、移動体である人物の手が、一番右側のグラスに触れている様子を示している。
なお、図４と図５の映像を比較すると、一番右側のグラスの傾きが異なっており、また、人物の手の位置が微妙に異なっている。
【００２３】
静止／移動分離部１３は、映像取込部１１から出力された最新映像と映像一時保存部１２から取得した過去映像（映像取込部１１により１ステップ前に取り込まれた映像）を比較して、映像上で相違している不一致領域を検出する（ステップＳＴ３）。
即ち、静止／移動分離部１３は、最新映像と過去映像の輝度差を全画素にわたって算出し、その輝度差が現れていない領域は、人物などの移動体が含まれていない領域であると判断する一方、その輝度差が現れている部分に囲まれている領域は、人物などの移動体が含まれている領域（不一致領域）であると判断する。
【００２４】
静止／移動分離部１３は、映像上で相違している不一致領域を検出すると、最新映像の中の不一致領域をマスクすることで、静止部映像（不一致領域がマスクされている最新映像）を生成する（ステップＳＴ４）。
ここで、図６は静止／移動分離部１３により生成された静止部映像を示すイメージ図である。
図６の例では、図４及び図５に現れている一番右側のグラス及び人物の手の領域が不一致領域（図中、黒色の領域）としてマスクされている。
【００２５】
また、静止／移動分離部１３は、一定周期で基準映像蓄積部１４により蓄積されている基準映像を更新する。
即ち、静止／移動分離部１３は、所定の更新時間（例えば、前回更新してから、予め設定された時間（例えば、数分）を経過した時点）になると、基準映像蓄積部１４により蓄積されている古い基準映像に対して、生成した新しい静止部映像を上書きすることで更新する。
ここでは、所定の更新時間になると、直ちに、静止部映像を用いて、基準映像を更新するものについて示したが、その静止部映像の中に、マスクされている不一致領域が含まれている場合、その静止部映像を用いて、基準映像を更新せずに、マスクされている不一致領域を含まない静止部映像を生成したタイミングで、その静止部映像を用いて、基準映像を更新するようにしてもよい。
【００２６】
変化領域検出部１５は、静止／移動分離部１３が静止部映像を生成すると、その静止部映像と基準映像蓄積部１４により蓄積されている基準映像を比較して、その静止部映像の中で基準映像から変化している領域を検出する（ステップＳＴ５）。
即ち、変化領域検出部１５は、静止部映像と基準映像の輝度差を、人物などの移動体が存在している不一致領域を除く全画素にわたって算出し、その輝度差が現れている領域は、変化領域であると判断する。
【００２７】
ここで、図７は変化領域検出部１５により検出された変化領域の映像を示すイメージ図である。
図７の例では、当初商品棚に陳列されていた３個のグラスのうち、一番左側のグラスが存在していた領域が変化領域として検出されている。
なお、変化領域は、監視対象領域内の物品の位置や存在有無が変化していることを表している。即ち、商品棚に陳列されている商品を顧客等が移動させたり、手に取ったりしていることを表している。
【００２８】
因みに、変化領域検出部１５が静止部映像と基準映像の輝度差を算出する際、人物などの移動体が存在している不一致領域を除いているのは、不一致領域を含めて輝度差を算出すると、移動体が存在する領域も変化領域として検出されてしまって、変化領域が物品の位置変化や存在有無の変化を表すものでなくなってしまうからである。
このように、不一致領域を除くことで、不要情報の発生を抑えて、高い視認性を確保することができる。
変化領域検出部１５は、静止部映像の中で基準映像から変化している変化領域を検出すると、その変化領域の映像（監視対象領域内の物品の位置変化や存在有無の変化を捉えている映像）を映像合成部１６に出力する。
【００２９】
映像合成部１６は、変化領域検出部１５から変化領域の映像を受けると、その変化領域の映像と映像取込部１１から出力された最新映像を合成し（ステップＳＴ６）、その合成後の映像をモニタ３に表示する（ステップＳＴ７）。
ここで、図８は映像合成部１６により合成された映像を示すイメージ図である。
図８の例では、一番左側のグラス（変化領域）に斜線が施されており、一番左側のグラスが無くなっていることを明示している。
ここでは、変化領域に斜線を施している例を示しているが、合成後の映像をモニタ３に表示する際、変化領域を明確に特定することができれば、これに限るものではなく、例えば、変化領域を点滅するようにしてもよい。
【００３０】
これにより、モニタ３には、映像合成部１６により合成された映像が表示されるが、静止部映像と基準映像の輝度差を算出することで、変化領域を検出する手法を用いているので、その基準映像が更新されるまでの一定時間、映像合成部１６により合成された映像がモニタ３に表示され続けることになる。
【００３１】
以上で明らかなように、この実施の形態１によれば、映像取込部１１により取り込まれた最新の映像と映像一時保存部１２により保存されている過去の映像を比較して、映像上で相違している不一致領域を検出し、その最新映像の中の不一致領域をマスクする静止／移動分離部１３と、静止／移動分離部１３により不一致領域がマスクされた最新映像と基準映像蓄積部１４により蓄積されている基準映像を比較して、その最新映像の中で基準映像から変化している領域を検出する変化領域検出部１５と、変化領域検出部１５により検出された変化領域の映像と映像取込部１１により取り込まれた最新の映像を合成する映像合成部１６とを設け、映像合成部１６が合成映像をモニタ３に表示するように構成したので、監視者が不審者であるか否かの判断を容易に行える視認性が高い映像（監視対象領域内の物品の位置変化や存在有無の変化を捉えている映像）を監視者に提供することができる効果を奏する。
【００３２】
即ち、監視者は、監視映像を注視し続けなくても、監視対象領域内で行われた行為（例えば、顧客が手で商品を取る行為）と不正行為の有無を推測して、対象とする人物が不審者であるか否かの判断を容易に行うことができるようになる。また、人物などの移動体は自動的にマスクして画像処理を行う仕組みであるため、不要な情報の発生を抑えて、視認性が高い映像を得ることが可能となる。
【００３３】
実施の形態２．
図９はこの発明の実施の形態２による監視支援装置を示す構成図であり、図において、図１と同一符号は同一又は相当部分を示すので説明を省略する。
再生用映像蓄積部１７は変化領域検出部１５により検出された変化領域の映像を蓄積するとともに、映像取込部１１により取り込まれた最新の映像を蓄積するメモリやハードディスクなどの記録媒体である。なお、再生用映像蓄積部１７は再生用映像蓄積手段を構成している。
【００３４】
蓄積映像再生部１８は再生用映像蓄積部１７により蓄積されている映像の中から、変化領域検出部１５により検出された変化領域の映像又は映像取込部１１により取り込まれた映像のいずれかを検索してモニタ３に表示する処理を実施する。
あるいは、変化領域検出部１５により検出された変化領域の映像と、映像取込部１１により取り込まれた映像とを検索して、その変化領域の映像と取り込まれた映像を合成し、合成後の映像をモニタ３に表示する処理を実施する。
なお、蓄積映像再生部１８は映像表示手段を構成している。
【００３５】
上記実施の形態１では、映像合成部１６が、変化領域検出部１５により検出された変化領域の映像と映像取込部１１により取り込まれた最新の映像を合成して、合成後の映像をモニタ３に表示するものについて示したが、変化領域検出部１５により検出された変化領域の映像や映像取込部１１により取り込まれた最新の映像を一旦蓄積してから、所望の映像を検索して表示するようにしてもよい。
具体的には、以下の通りである。
【００３６】
再生用映像蓄積部１７は、変化領域検出部１５により検出された変化領域の映像を蓄積するとともに、映像取込部１１により取り込まれた最新の映像を蓄積する。
ただし、再生用映像蓄積部１７は、蓄積する映像の時刻管理を行うため、これらの映像を蓄積する際、時刻情報（変化領域検出部１５から変化領域の映像が出力された時刻を示す時刻情報、映像取込部１１から最新の映像が出力された時刻を示す時刻情報）を蓄積する映像に付加するとともに、その時刻情報をメタデータとして蓄積する。
【００３７】
蓄積映像再生部１８は、例えば、監視者が再生用映像蓄積部１７により蓄積されているメタデータを参照して、監視したい時刻を指定するとともに、表示対象の映像が、変化領域の映像であるのか、映像取込部１１により取り込まれた映像であるのか、合成画像であるのかを指定すると、再生用映像蓄積部１７により蓄積されている映像の中から、監視者により指定された時刻に対応する映像を検索する。
即ち、蓄積映像再生部１８は、表示対象の映像が変化領域の映像であれば、監視者により指定された時刻に対応する変化領域の映像を検索し、表示対象の映像が映像取込部１１により取り込まれた映像であれば、監視者により指定された時刻に対応する映像取込部１１により取り込まれた映像を検索する。
また、表示対象の映像が合成映像であれば、監視者により指定された時刻に対応する変化領域の映像と、その時刻に対応する映像取込部１１により取り込まれた映像とを検索する。
【００３８】
蓄積映像再生部１８は、監視者により指定された時刻に対応する変化領域の映像を検索すると、その変化領域の映像をモニタ３に表示する（図７を参照）。
また、蓄積映像再生部１８は、監視者により指定された時刻に対応する映像取込部１１により取り込まれた映像を検索すると、その映像をモニタ３に表示する（図４や図５を参照）。
蓄積映像再生部１８は、監視者により指定された時刻に対応する変化領域の映像と、映像取込部１１により取り込まれた映像とを検索すると、それらの映像を合成し、合成後の映像をモニタ３に表示する（図８を参照）。
【００３９】
以上で明らかなように、この実施の形態２によれば、蓄積映像再生部１８が再生用映像蓄積部１７により蓄積されている映像の中から、変化領域検出部１５により検出された変化領域の映像又は映像取込部１１により取り込まれた映像のいずれかを検索してモニタ３に表示し、あるいは、変化領域検出部１５により検出された変化領域の映像と、映像取込部１１により取り込まれた映像とを検索して、その変化領域の映像と取り込まれた映像を合成し、合成後の映像をモニタ３に表示するように構成したので、上記実施の形態１と同様に、監視者が不審者であるか否かの判断を容易に行える視認性が高い映像（監視対象領域内の物品の位置変化や存在有無の変化を捉えている映像）を監視者に提供することができる効果を奏する。
また、監視者が都合の良い時間帯に映像を確認することができる効果を奏する。
【００４０】
実施の形態３．
図１０はこの発明の実施の形態３による監視支援装置を示す構成図であり、図において、図９と同一符号は同一又は相当部分を示すので説明を省略する。
映像選択部１９は映像合成部１６から出力された合成映像又は蓄積映像再生部１８から出力された映像（蓄積映像再生部１８により検索された変化領域の映像、取り込まれた映像、または、合成された映像）を選択し、その選択した映像をモニタ３に表示する処理を実施する。なお、映像選択部１９は映像表示手段を構成している。
【００４１】
上記実施の形態１では、変化領域検出部１５により検出された変化領域の映像と映像取込部１１により取り込まれた最新の映像を合成する映像合成部１６を実装し、上記実施の形態２では、再生用映像蓄積部１７により蓄積されている映像の中から、変化領域検出部１５により検出された変化領域の映像等を検索する蓄積映像再生部１８を実装している例を示したが、図１０に示すように、映像合成部１６と蓄積映像再生部１８の双方を実装するようにしてもよい。
【００４２】
この実施の形態３では、映像合成部１６と蓄積映像再生部１８の双方を実装し、映像選択部１９を設けている。
映像選択部１９は、監視者の指示の下で、映像合成部１６から出力された合成映像又は蓄積映像再生部１８から出力された映像を選択し、その選択した映像をモニタ３に表示する。
【００４３】
以上で明らかなように、この実施の形態３によれば、映像選択部１９が、映像合成部１６から出力された合成映像又は蓄積映像再生部１８から出力された映像を選択し、その選択した映像をモニタ３に表示するように構成したので、監視者の都合に応じて、リアルタイム映像又は蓄積映像を確認することができる効果を奏する。
【符号の説明】
【００４４】
１  監視カメラ、２  監視支援装置、３  モニタ、１１  映像取込部（映像取込手段）、１２  映像一時保存部（映像保存手段）、１３  静止／移動分離部（不一致領域マスク手段）、１４  基準映像蓄積部（基準映像蓄積手段）、１５  変化領域検出部（変化領域検出手段）、１６  映像合成部（映像合成手段、映像表示手段）、１７  再生用映像蓄積部（再生用映像蓄積手段）、１８  蓄積映像再生部（映像表示手段）、１９  映像選択部（映像表示手段）。
【図１】
2011015326.tif 000003
【図２】
2011015326.tif 000004
【図３】
2011015326.tif 000005
【図４】
2011015326.tif 000006
【図５】
2011015326.tif 000007
【図６】
2011015326.tif 000008
【図７】
2011015326.tif 000009
【図８】
2011015326.tif 000010
【図９】
2011015326.tif 000011
【図１０】
2011015326.tif 000012